(57)【要約】      （修正有）【課題】小形のカメラの場合でも水中における被写体の連写撮影を実現できる光信号伝送式防水カメラケース付カメラシステムの外部ストロボ駆動回路を提供する。【解決手段】外部ストロボ駆動回路５１は、カメラのホットシューに着脱可能に構成され外方に光を照射する発光ダイオードＬＥＤ及び発光用電池ＢＴを備えた発光ユニットに搭載されるストロボランプ点灯回路部と、光ファイバーケーブル４０からの光信号を受光してオン駆動されるフォトトランジスタＰＨと、そのオン動作を基にトリガー回路３４を駆動してトリガーパルスを出力させるトリガー回路駆動回路部とを具備する発光駆動回路３１と、を有する。【選択図】図４
2008286983.tif 000002
【特許請求の範囲】
【請求項１】
光信号伝送式外部ストロボを使用する防水カメラケース付カメラシステムの外部ストロボ駆動回路であって、
カメラのホットシューに着脱可能に構成され外方に光を照射する発光源及び発光用電池を備えた発光ユニットに搭載されるとともに、カメラのシャッター動作に連動してカメラＸ端子に生じるカメラ信号を基にオン動作して前記発光用電池からの電力を発光源に供給し発光させる発光源駆動回路と、
防水カメラケースに装着され前記発光源からの光を光信号として伝送する光ファイバーケーブルと、
前記光ファイバーケーブルを介して前記防水カメラケースに接続されるストロボランプを備えた外部ストロボに設けられるとともに、直流電源、ストロボランプに高電圧を印加する電源回路、主コンデンサ及びストロボランプ用のトリガー回路を具備するストロボランプ点灯回路部と、前記光ファイバーケーブルからの光信号を受光してオン駆動される受光素子と、この受光素子のオン動作を基に前記トリガー回路を駆動してストロボランプ発光用のトリガーパルスを出力させるトリガー回路駆動回路部と、を具備する発光駆動回路と、
を有することを特徴とする光信号伝送式防水カメラケース付カメラシステムの外部ストロボ駆動回路。
【請求項２】
光信号伝送式外部ストロボを使用する防水カメラケース付カメラシステムの外部ストロボ駆動回路であって、
カメラのホットシューに着脱可能に構成され外方に光を照射する発光ダイオード及び発光用電池を備えた発光ユニットに搭載されるとともに、カメラのシャッター動作に連動してカメラＸ端子に生じるカメラ信号を基にオン動作して前記発光用電池からの電力を発光ダイオードに供給し発光させる発光源駆動回路と、
防水カメラケースに装着され前記発光ダイオードからの光を光信号として伝送する光ファイバーケーブルと、
前記光ファイバーケーブルを介して前記防水カメラケースに接続されるストロボランプを備えた外部ストロボに設けられるとともに、直流電源、ストロボランプに高電圧を印加する電源回路、主コンデンサ及びストロボランプ用のトリガー回路を具備するストロボランプ点灯回路部と、前記光ファイバーケーブルからの光信号を受光してオン駆動される受光素子であるフォトトランジスタと、このフォトトランジスタのオン動作を基に前記トリガー回路を駆動してストロボランプのトリガー電極にトリガーパルスを出力させるサイリスタ駆動方式のトリガー回路駆動回路部と、を具備する発光駆動回路と、
を有することを特徴とする光信号伝送式防水カメラケース付カメラシステムの外部ストロボ駆動回路。
【請求項３】
光信号伝送式の外部ストロボを使用する防水カメラケース付カメラのホットシューに着脱可能に構成されるとともに光信号発光用の発光源及び発光用電池を備えた発光ユニットの発光源駆動回路であって、
前記発光用電池と発光源との間に接続されるとともに、カメラのシャッター動作に連動するカメラ信号を生じるカメラＸ端子に接触させる接触端子と、この接触端子からのカメラ信号を基にオン動作して前記発光用電池からの電力を発光源に供給し前記発光源を発光させる発光駆動用トランジスタ回路と、
を含むことを特徴とする発光ユニットの発光源駆動回路。
【請求項４】
光信号伝送式の外部ストロボを使用する防水カメラケース付カメラのホットシューに着脱可能に構成されるとともに光信号発光用の発光ダイオード及び発光用電池を備えた発光ユニットの発光源駆動回路であって、
前記発光用電池と発光ダイオードとの間に接続されるとともに、カメラのシャッター動作に連動するカメラ信号を生じるカメラＸ端子に接触させる接触端子と、この接触端子からのカメラ信号を基にオン動作して前記発光用電池からの電力を発光ダイオードに供給し前記発光ダイオードを発光させる２段トランジスタ駆動方式の発光駆動用トランジスタ回路と、
を含むことを特徴とする発光ユニットの発光源駆動回路。
【発明の詳細な説明】
【技術分野】
【０００１】
本発明は、光信号伝送式防水カメラケース付カメラシステムの外部ストロボ駆動回路及び発光ユニットの発光源駆動回路に関するものである。
【背景技術】
【０００２】
例えば、水中で魚類や水中植物等の被写体の撮影を行う場合、防水カメラケースに収納したカメラ（通常のスチールカメラ、デジタルカメラ、ビデオカメラ等）に防水仕様の外部ストロボを組み付け、電気ケーブル等にて接続するか、又はカメラの内臓ストロボを発光させてこれに連動して外部ストロボを発光させるように構成するのが一般的である。電気信号ケーブル等にてカメラと外部ストロボとを接続しカメラのシャッタ動作に連動して外部ストロボのストロボランプを発光させるように構成した水中カメラ撮影システムを使用することが一般的である。
【０００３】
内臓ストロボを発光させるような水中カメラ撮影システムの場合、カメラに搭載したコンデンサの充電時間に依存することから、ストロボランプを短時間間隔で連続的に発光させて被写体を連写する連写撮影が難しいという問題がある。
【０００４】
また、特に小形のカメラを水中撮影に使用する場合、カメラに組み込んだ電源の容量が少ないため、電池の消耗が速く発光用のコンデンサの充電時間とも関連してストロボランプを連続的に発光させて被写体を連写することは難しいという問題がある。
【０００５】
特許文献１には、カメラとライト（又はストロボ）との間の信号応答を光ファイバによる光接続方式とし、ライト（又はストロボ）の点灯、消灯をカメラ側の撮影動作に連動させるように構成した光ファイバー接続式水中カメラ用ライト、水中撮影システムが提案されている。
【０００６】
この特許文献１の場合、カメラ側に専用の光ファイバー接続端子を備えることを前提としており、既存のカメラに多く設けられているホットシューに外部ストロボ駆動用の光信号を発する発光源やその発光源駆動回路を搭載した発光ユニットを装着する構成としたものではない。
【特許文献１】特開２００１−０３３８５２号公報
【発明の開示】
【発明が解決しようとする課題】
【０００７】
本発明が解決しようとする問題点は、多くのカメラに設けられているホットシューに発光用電源を内蔵した発光ユニットを装着し、発光ユニットから外部ストロボに光信号を伝送してストロボランプを点灯駆動するように構成し、特に小形のカメラの場合であっても水中における被写体の連写撮影を実現できる光信号伝送式防水カメラケース付カメラシステムの外部ストロボを駆動する為の内蔵ストロボを発光させる必要が無い点である。
【課題を解決するための手段】
【０００８】
本発明は、光信号伝送式外部ストロボを使用する防水カメラケース付カメラシステムの外部ストロボ駆動回路であって、カメラのホットシューに着脱可能に構成され外方に光を照射する発光源及び発光用電池を備えた発光ユニットに搭載されるとともに、カメラのシャッター動作に連動してカメラＸ端子に生じるカメラ信号を基にオン動作して前記発光用電池からの電力を発光源に供給し発光させる発光源駆動回路と、防水カメラケースに装着され前記発光源からの光を光信号として伝送する光ファイバーケーブルと、前記光ファイバーケーブルを介して前記防水カメラケースに接続されるストロボランプを備えた外部ストロボに設けられるとともに、直流電源、ストロボランプに高電圧を印加する電源回路、主コンデンサ及びストロボランプ用のトリガー回路を具備するストロボランプ点灯回路部と、前記光ファイバーケーブルからの光信号を受光してオン駆動される受光素子と、この受光素子のオン動作を基に前記トリガー回路を駆動してストロボランプ発光用のトリガーパルスを出力させるトリガー回路駆動回路部と、を具備する発光駆動回路と、を有することを有することを最も主要な特徴とする。
【発明の効果】
【０００９】
請求項１、２記載の発明によれば、カメラのシャッター操作に応じて発光源駆動回路である発光ダイオード駆動回路によって、発光ユニットの発光源、即ち発光ダイオードを瞬時発光させて光信号とし、光ファイバケーブルにより前記光信号を発光駆動回路の受光素子であるフォトトランジスタに照射し、これにより、ストロボ発光信号をトリガー回路に送り、トリガー回路からトリガーパルスを出力させてストロボランプをトリガーすることで、このストロボランプを発光（スレーブ発光）させることができ、カメラによる被写体の撮影動作にストロボランプの発光を連動させることができる光信号伝送式外部ストロボを使用する防水カメラケース付カメラシステムに適用して好適な外部ストロボ駆動回路を提供することができる。
【００１０】
請求項３、４記載の発明によれば、発光ユニット自体に発光ダイオード、発光用電池、発光駆動用トランジスタ回路を搭載した構成で、カメラとして内蔵電源の容量が小さい小形のカメラを使用する場合においても、カメラ側の電源消費を抑えつつ被写体の連写を行う水中撮影を行うカメラシステム実現に貢献する汎用性の大きい発光ユニットに好適な発光ダイオード駆動回路を提供することができる。
【発明を実施するための最良の形態】
【００１１】
本発明は、多くのカメラに設けられているホットシューに発光用電源を内蔵した発光ユニットを装着し、発光ユニットから外部ストロボに光信号を伝送してストロボランプを点灯駆動するように構成し、特に小形のカメラの場合であっても水中における被写体の連写撮影を実現できる光信号伝送式防水カメラケース付カメラシステムの外部ストロボ駆動回路を提供するという目的を、光信号伝送式外部ストロボを使用する防水カメラケース付カメラシステムの外部ストロボ駆動回路であって、カメラのホットシューに着脱可能に構成され外方に光を照射する発光ダイオード及び発光用電池を備えた発光ユニットに搭載されるとともに、カメラのシャッター動作に連動してカメラＸ端子に生じるカメラ信号を基にオン動作して前記発光用電池からの電力を発光ダイオードに供給し発光させる発光源駆動回路と、防水カメラケースに装着され前記発光ダイオードからの光を光信号として伝送する光ファイバーケーブルと、前記光ファイバーケーブルを介して前記防水カメラケースに接続されるストロボランプを備えた外部ストロボに設けられるとともに、直流電源、ストロボランプに高電圧を印加する電源回路、主コンデンサ及びストロボランプ用のトリガー回路を具備するストロボランプ点灯回路部と、前記光ファイバーケーブルからの光信号を受光してオン駆動される受光素子であるフォトトランジスタと、このフォトトランジスタのオン動作を基に前記トリガー回路を駆動してストロボランプのトリガー電極にトリガーパルスを出力させるサイリスタ駆動方式のトリガー回路駆動回路部と、を具備する発光駆動回路と、を有する構成により実現した。
【実施例】
【００１２】
以下に、本発明の実施例に係る光信号伝送式外部ストロボを使用する防水カメラケース付カメラシステム及び外部ストロボ駆動回路について図１乃至図５を参照して詳細に説明する。
【００１３】
本実施例に係る光信号伝送式で外部ストロボ３０を使用する防水カメラケース２０付カメラシステム１は、図１に示すように、被写体撮影用のカメラ２（例えば小形のデジタルカメラ）２と、前記カメラ２のホットシュー３に着脱可能に構成され、前記カメラ２のシャッター動作に連動して外方（図１において上方）に光を照射する発光源である発光ダイオードＬＥＤ、発光源駆動回路である発光ダイオード駆動回路１１、発光用電源である発光用電池ＢＴ及び回路基板１２を内蔵した略円筒状の外部ストロボ駆動用光信号発光ユニット（以下「発光ユニット」という）１０と、前記カメラ２の外周全体を覆うように構成されるとともに、内部に収納する前記カメラ２のホットシュー３に装着する前記発光ユニット１０に対向する位置にケース側光ファイバーケーブル受部２１を備えた透明材を用いた防水仕様の防水カメラケース２０と、光信号用のストロボ側受光部（受光素子）であるフォトトランジスタＰＨを含み受光した光信号を基にストロボランプＬを駆動する発光駆動回路３１を搭載するとともに、前記フォトトランジスタＰＨに対向するストロボ側光ファイバーケーブル受部３２を備えた防水仕様の外部ストロボ３０と、一端に設けた受光端子部４１を前記防水カメラケース２０のケース側光ファイバーケーブル受部２１に例えば嵌め込み結合で装着して前記発光ユニット１０からの光を防水カメラケース２０の透明壁を経て受光して光ファイバーケーブル本体４２により伝送し、他端に設けた照射端子部４３を前記外部ストロボ３０のストロボ側光ファイバーケーブル受部３２に例えばネジ結合で装着して前記フォトトランジスタＰＨにストロボランプ駆動用の光信号として光を照射する光ファイバーケーブル４０と、を有している。
【００１４】
前記発光ユニット１０は、図２、図３にも示すように、略円筒状のユニット本体１４の下部に、前記ホットシュー３を形成するコ状又は逆コ状に形成した一対の装着受片３ａ、３ｂに対して側方から装着するための装着突片１０ａ、１０ｂを備えた基部１０ｃを備えている。
【００１５】
また、前記発光ユニット１０は、前記ユニット本体１４内にその下部側から上部側に向けて、前記発光用電池ＢＴ、発光ダイオード駆動回路１１、回路基板１２、発光ダイオードＬＥＤの順に組み込み、ユニット本体１４の上部側に設けた凹孔１３から発光ダイオードＬＥＤを上方に突出させ、この発光ダイオードＬＥＤからの光を上方に照射するように構成している。
【００１６】
さらに、前記発光ユニット１０の基部１０ｃの下面には、前記ホットシュー３上面に露出配置した前記カメラ２のカメラＸ端子２ａ、２ｂと接触する接触端子Ｔ１、Ｔ２を設け、図４に示すように、カメラ２のシャッター操作に応じてオン、オフするシャッタースイッチＳＷのオン動作によってカメラＸ端子２ａ、２ｂに得られるシャッター信号を前記接触端子Ｔ１、Ｔ２を経て発光ダイオード駆動回路１１に伝送するように構成している。
【００１７】
前記発光ユニット１０、防水カメラケース２０のケース側光ファイバーケーブル受部２１、光ファイバーケーブル４０、外部ストロボ３０のストロボ側光ファイバーケーブル受部３２により外部ストロボ駆動用光信号伝達機構を構成している。
【００１８】
次に、図４、図５を参照して全体として外部ストロボ駆動回路５１を構成する前記発光ダイオード駆動回路１１及び発光駆動回路３１について詳述する。
【００１９】
前記発光ダイオード駆動回路１１は、図４に示すように、前記接触端子Ｔ１、Ｔ２により得られるシャッター信号（オン信号）を基に第１トランジスタＱ１（ＰＮＰ型）、第２トランジスタＱ２（ＮＰＮ型）を介して発光ダイオードＬＥＤを発光駆動するように構成している。
【００２０】
さらに詳述すると、前記発光ダイオード駆動回路１１は、発光用電池ＢＴ（例えば電圧３乃至６Ｖ）を備え、前記接触端子Ｔ２を発光用電池ＢＴのマイナス電極に接続するとともに、前記発光用電池ＢＴのプラス電極、マイナス電極間に発光ダイオードＬＥＤ、抵抗Ｒ４（例えば３３ｋΩ）、第２トランジスタＱ２の直列回路を接続している。
【００２１】
また、前記発光ダイオード駆動回路１１は、前記発光用電池ＢＴのプラス電極と、前記接触端子Ｔ１との間に、抵抗Ｒ１（例えば１００ｋΩ）、抵抗Ｒ２（例えば１０ｋΩ）、電界コンデンサＣ１（例えば２．２μＦ）及びダイオードＤ３を直列接続している。
【００２２】
前記発光用電池ＢＴのプラス電極、マイナス電極間に、第１トランジスタＱ１、抵抗Ｒ５（例えば１ｋΩ）、抵抗Ｒ２（例えば１００ｋΩ）の直列回路を接続している。
前記抵抗Ｒ１、抵抗Ｒ２の接続点に第１トランジスタＱ１のベースを接続し、前記抵抗Ｒ５、抵抗Ｒ６の接続点に第２トランジスタＱ２のベースを接続している。
さらに、前記発光用電池ＢＴのプラス電極と、前記抵抗Ｒ２と電界コンデンサＣ１との接続点との間に、保護ダイオードＤ２を逆接続し、また、前記発光用電池ＢＴのプラス電極と、電界コンデンサＣ１とダイオードＤ３との接続点との間に、抵抗Ｒ３（例えば１０ｋΩ）を接続している。
【００２３】
前記第１トランジスタＱ１、抵抗Ｒ１、抵抗Ｒ２、電界コンデンサＣ１、ダイオードＤ３、抵抗Ｒ５、抵抗Ｒ６、前記第２トランジスタＱ２により発光駆動用トランジスタ回路を構成している。
【００２４】
前記発光駆動回路３１は、図４に示すように、前記発光ユニット１０から光ファイバーケーブル４０を経て伝達される光信号の受光によりフォトトランジスタＰＨをオンさせ、これによりサイリスタＳＣＲを導通させて、端子Ｔ４からストロボ発光信号をトリガー回路３４に出力しこのトリガー回路３４によりストロボランプＬのトリガー電極ＬＴにトリガーパルスを送り、ストロボランプＬ（例えばキセノンランプ等）を発光（スレーブ発光）させるように構成している。
【００２５】
さらに詳述すると、前記発光駆動回路３１は、図４に示す端子Ｔ３、端子Ｔ５（ＧＮＤ）間に接続した直流電源（例えば電圧６Ｖ）ＢＴ１と、直流電源ＢＴ１に接続されストロボ発光用の高電圧を出力するＤＣ−ＤＣコンバータ等を用いて構成した電源回路３３と、この電源回路３３に対してダイオードＤ４を介して接続した高電圧を充電する主コンデンサＣと、端子Ｔ４からストロボ発光信号に基づきストロボランプＬのトリガー電極ＬＴにトリガーパルスを出力するトリガー回路３４とによりストロボランプ点灯回路部を構成するとともに、端子Ｔ３、端子Ｔ５間に接続したフォトトランジスタＰＨ、抵抗Ｒ４２（例えば１０ｋΩ）の直列回路と、端子Ｔ３、端子Ｔ５間に接続した抵抗Ｒ４４（例えば１００ｋΩ）、コンデンサＣ２３（例えば０．０２μＦ）の直列回路と、抵抗Ｒ４４、コンデンサＣ２３の接続点にアノードを、端子Ｔ５にカソードを各々接続したサイリスタＳＣＲと、前記フォトトランジスタＰＨと抵抗Ｒ４２との接続点と、サイリスタＳＣＲのゲートとの間に接続したコンデンサＣ２１、抵抗Ｒ４１（例えば１ｋΩ）の直列回路と、前記サイリスタＳＣＲのゲートと、端子Ｔ５との間に接続した抵抗Ｒ４３（例えば１０ｋΩ）、コンデンサＣ２２（例えば０．０２μＦ）の並列回路と、を具備し、前記抵抗Ｒ４４、コンデンサＣ２３の接続点から導出した端子Ｔ４からストロボ発光信号を前記トリガー回路３４に出力するトリガー回路駆動回路部を構成している。
【００２６】
次に、前記外部ストロボ駆動回路５１の動作について図５をも参照して説明する。この外部ストロボ駆動回路５１における前記発光ダイオード駆動回路１１において、カメラ２のシャッター操作に応じてシャッタースイッチＳＷがオンすると発光ユニット１０にカメラ信号が供給され（図５の丸数字１）、前記電解コンデンサＣ１が充電されるとともに、前記発光ダイオード駆動回路１１における抵抗Ｒ１、抵抗Ｒ２の接続点に生じる電圧に基づくトランジスタＱ１のベース電圧が瞬時上昇（負側）し（図５の丸数字２）、第１トランジスタＱ１のコレクタ電圧も瞬時上昇し（図５の丸数字３）、第１トランジスタＱ１はオンする。
【００２７】
第１トランジスタＱ１がオンすると、第１トランジスタＱ１のコレクタに接続した抵抗Ｒ５、Ｒ６により第２トランジスタＱ２のベース電圧も上昇して第２トランジスタＱ２もオンしてそのコレクタ電圧も瞬時上昇（負側）し（図５の丸数字４）、これにより、前記発光ダイオードＬＥＤにＬＥＤ電流が流れて（図５の丸数字５）、発光ダイオードＬＥＤは発光する。これにより、カメラ２のシャッター操作に連動して前記発光ユニット１０から上方に光を照射することができる。
【００２８】
前記シャッタースイッチＳＷがオフ（カメラ信号オフ）になると、前記電解コンデンサＣ１の充電電圧に基づき第１トランジスタＱ１のベースが瞬時逆バイアスされ、また、電解コンデンサＣ１の充電電荷は保護ダイオードＤ２を介して前記抵抗Ｒ３に流れて消費され、電解コンデンサＣ１は初期状態に戻り、次のシャッター操作の待機状態となる。
【００２９】
次に、前記外部ストロボ駆動回路５１の発光駆動回路３１の動作について説明する。前記発光駆動回路３１においては、前記発光ユニット１０から光ファイバーケーブル４０を経て伝達される光信号を直流電源ＢＴ１に接続されているフォトトランジスタＰＨにて受光してこのフォトトランジスタＰＨがオンとなり、これにより、前記コンデンサＣ２１、抵抗Ｒ４１を経てサイリスタＳＣＲのゲートに駆動パルスが供給される。
【００３０】
直流電源ＢＴ１に抵抗Ｒ４４を介して接続されているサイリスタＳＣＲは前記駆動パルスにより導通状態となり、これにより、端子Ｔ４から前記トリガー回路３４にストロボ発光信号が送られ、トリガー回路３４からトリガー電極ＬＴにトリガーパルスが供給されて高圧充電されている主コンデンサＣと並列接続したストロボランプＬが発光（スレーブ発光）する。
【００３１】
このようにして、本実施例に係る外部ストロボ駆動回路５１によれば、カメラ２のシャッター操作に応じてまず発光ダイオード駆動回路１１によって、発光ユニット１０の発光ダイオードＬＥＤを瞬時発光させて光信号とし、光ファイバケーブル４０により前記光信号を発光駆動回路３１のフォトトランジスタＰＨに照射し、フォトトランジスタＰＨのオン動作を基にサイリスタＳＣＲをオン駆動してストロボランプＬのトリガー電極ＬＴにストロボ発光信号を供給することで、このストロボランプＬを発光（スレーブ発光）させ、カメラ２による被写体の撮影動作に前記ストロボランプＬの発光を連動させることができる。
【００３２】
また、本実施例に係る発光ユニット１０における前記発光ダイオード駆動回路１１によれば、上述した如く、発光ユニット１０自体に発光ダイオードＬＥＤ、発光用電池ＢＴ、前記発光駆動用トランジスタ回路を搭載した構成で、カメラ２として内蔵電源の容量が小さい小形のカメラを使用する場合においても、カメラ２側の電源消費を抑えつつ被写体の連写を行う水中撮影を行うカメラシステム実現に貢献する汎用性の大きい発光ユニット１０に好適な発光ダイオード駆動回路１１とすることができる。
【００３３】
次に、本実施例に係る前記外部ストロボ３０を使用する防水カメラケース付カメラシステムの全体動作及び効果について説明する。
【００３４】
本実施例に係る外部ストロボ３０を使用する防水カメラケース付カメラシステムによれば、上述したように、多くのカメラ２に設けられているホットシュー３を利用してカメラ２、特に小形のカメラ２の場合であっても水中における被写体の連写撮影を実現することができる。
【００３５】
即ち、本実施例に係る防水カメラケース付カメラシステムによれば、前記発光ユニット１０をカメラ２のホットシュー３に装着し、この状態で、前記カメラ２及び発光ユニット１０を図１に示すように防水カメラケース２０に収納し、さらに、光ファイバーケーブル４０の一端に設けた受光端子部４１を前記防水カメラケース２０のケース側光ファイバーケーブル受部２１に取り付け、また、他端に設けた照射端子部４３を前記外部ストロボ３０のストロボ側光ファイバーケーブル受部３２に取り付けることでこのカメラシステムを簡略に組み上げることができる。
【産業上の利用可能性】
【００３６】
本発明の防水カメラケース付カメラシステムは、デジタルカメラ、通常のスチールカメラ、ビデオカメラ等の種多様のカメラについてそのサイズの小さい、大きいを問わず広範に適用可能である。
【図面の簡単な説明】
【００３７】
【図１】本発明の実施例に係る光信号伝送式外部ストロボを使用する防水カメラケース付カメラシステムのシステム構成を示す概略断面図である。
【図２】本実施例に係る外部ストロボを使用する防水カメラケース付カメラシステムのカメラ、防水カメラケース、発光ユニット、光ファイバーケーブル及び外部ストロボを示す概略分解斜視図である。
【図３】本実施例に係る発光ユニットの概略断面図である。
【図４】本実施例に係る外部ストロボ駆動回路の回路構成図である。
【図５】本実施例に係る発光ダイオード駆動回路の各部の信号波形図である。
【符号の説明】
【００３８】
１    防水カメラケース付カメラシステム
２    カメラ
２ａ  カメラＸ端子
２ｂ  カメラＸ端子
３    ホットシュー
３ａ  装着受片
３ｂ  装着受片
１０    発光ユニット
１０ａ  装着突片
１０ｂ  装着突片
１０ｃ  基部
１１    発光ダイオード駆動回路
１２    回路基板
１３    凹孔
１４    ユニット本体
２０    防水カメラケース
２１    ケース側光ファイバーケーブル受部
３０    外部ストロボ
３１    発光駆動回路
３２    ストロボ側光ファイバーケーブル受部
３３    電源回路
３４    トリガー回路
４０    光ファイバーケーブル
４１    受光端子部
４２    光ファイバーケーブル本体
４３    照射端子部
５１    外部ストロボ駆動回路
ＢＴ    発光用電池
ＢＴ１  直流電源
Ｃ      主コンデンサ
Ｃ１    電界コンデンサ
Ｃ２１  コンデンサ
Ｃ２２  コンデンサ
Ｃ２３  コンデンサ
Ｄ２    保護ダイオード
Ｄ３    ダイオード
Ｄ４    ダイオード
Ｌ      ストロボランプ
ＬＴ    トリガー電極
ＬＥＤ  発光ダイオード
ＰＨ    フォトトランジスタ
Ｑ１    第１トランジスタ
Ｑ２    第２トランジスタ
Ｒ１    抵抗
Ｒ２    抵抗
Ｒ３    抵抗
Ｒ４    抵抗
Ｒ５    抵抗
Ｒ６    抵抗
Ｒ４１  抵抗
Ｒ４２  抵抗
Ｒ４３  抵抗
Ｒ４４  抵抗
ＳＣＲ  サイリスタ
ＳＷ    シャッタースイッチ
Ｔ１    接触端子
Ｔ２    接触端子
Ｔ３    端子
Ｔ４    端子
Ｔ５    端子
【図１】
2008286983.tif 000003
【図２】
2008286983.tif 000004
【図３】
2008286983.tif 000005
【図４】
2008286983.tif 000006
【図５】
2008286983.tif 000007